(57)【要約】      （修正有）【課題】前扉は開放方向にフリーであっても閉鎖方向に制動されることにより、遊技機のメンテナンス作業時に作業者が前扉に手を挟まれることが少ない遊技機を提供する。【解決手段】遊技機のヒンジ機構は、抜き差し可能な垂直ピン３６を有する少なくとも１組の差し込みヒンジ３８と、垂直ピンと軸心が一致するピボット４０を有する回転制動ヒンジ４２とからなり、回転制動ヒンジでは、ピボットが抜き差し可能に通過する貫通孔５４を設けたバレル５２を縦向きに固着し、バレル孔内にワンウェイ輪を静止収納するとともに、ピボットを垂直保持する制動支持体５０を縦向きに固着する。  【選択図】図３
0003184416.tif 000002
【実用新案登録請求の範囲】
【請求項１】
前面に開口部を有する筐体と、該筐体の開口部を閉鎖するように傾斜配置する前扉と、該前扉を筐体に着脱可能に取り付けるヒンジ機構を有する遊技機において、前記ヒンジ機構は、抜き差し可能な垂直ピンを有する少なくとも１組の差し込みヒンジと、該垂直ピンと軸心が一致するピボットを有する回転制動ヒンジとからなり、前記回転制動ヒンジでは、ピボットが抜き差し可能に通過する貫通孔を設けたバレルを縦向きに固着し、該バレル孔内にワンウェイ輪を静止収納するとともに、該ピボットを垂直保持する制動支持体を縦向きに固着する遊技機。
【請求項２】
個々の差し込みヒンジは、筐体側壁側に設置した上向きの垂直ピンおよび前扉側に設置し且つピン孔を穿孔した水平プレートで構成し、回転制動ヒンジは、縦方向において２組の差し込みヒンジの間に配置し、筐体側壁に縦向きに固着する請求項１記載の遊技機。
【請求項３】
前記制動支持体は、ピボットを密に嵌入するプラスチック制動筒体と、制動筒体を静止収納するスリーブ貫通孔を設けた別のバレルとを有し、ピボットを制動筒体内に圧入することで制動回転可能に垂直保持し、別のバレルを筐体側壁にボルト止めする請求項１記載の遊技機。
【請求項４】
前記制動支持体は、ピボットに密に嵌装するプラスチック制動部材と、制動部材の外周を取り囲む保持金具と、制動部材および保持金具の平行延長部を貫通してブラケットにねじ込みするボルトとを有し、該ボルトによって保持金具で制動部材を内方へ締め付けてピボットを制動回転可能に垂直保持し、該ブラケットを筐体側壁にボルト止めする請求項１記載の遊技機。
【請求項５】
前記制動支持体は、ピボットと嵌合する少なくとも１枚の皿バネと、該ピボットに嵌入する貫通孔を設けた水平部を有するＬ字金具と、Ｌ字金具の水平部の両側面に隣接配置するプラスチック制動円板と、各制動円板と接触し且つピボットとともに回動または静止するワッシャとで構成し、制動支持体全体をナットで締め付けることにより、前扉を旋回すると制動円板の表面とワッシャの表面とが摩擦面となり、Ｌ字金具の垂直部を筐体側壁にボルト止めする請求項１記載の遊技機。
【考案の詳細な説明】
【技術分野】
【０００１】
本考案は、比較的重い前扉を備える遊技機について、該前扉は開放方向にフリーであっても閉鎖方向に制動されることにより、遊技機のメンテナンス作業時に作業者が前扉に手を挟まれることが少ない遊技機に関する。
【背景技術】
【０００２】
パチスロと称する遊技機は、通常、複数の図柄がそれぞれの表面に配された複数のリールを有し、遊技メダルやコインが投入され、遊技者によりスタートレバーが操作され、複数のリールの回転の開始を要求するスタートスイッチと、複数のリールのそれぞれに対応して設けられたストップボタンが遊技者により押されたことを検出し、スタートレバーの操作を検出すると、乱数値に基づいて抽籤を行い、この抽籤の結果とストップボタンが操作されたことを検出したタイミングとに基づいてリールの回転を停止する。
【０００３】
この種の遊技機は、既に数多く特許出願されており、例えば、特開２００７−２０２６９８号や特開２０１０−２９４０７号などから、前面に開口部を有する筐体と、この筐体の側面に回動可能に連結してこの開口を開閉する前扉とを備えることは公知である。この種の遊技機では、筐体にシリンダ錠を設置し且つ前扉の開閉側の前面に鍵穴を設け、該鍵穴に鍵を挿入・回動し、該前扉を施錠または解錠できる。
【先行技術文献】
【特許文献】
【０００４】
【特許文献１】特開２００７−２０２６９８号公報
【特許文献２】特開２０１０−２９４０７号公報
【考案の概要】
【考案が解決しようとする課題】
【０００５】
この種の遊技機について、前扉の開閉は日常のメンテナンスを行うために必要であるけれども、前扉の開閉を行うヒンジに関する提案は特に存在しない。例えば、特開２０１０−２９４０７号では、前扉の施錠と解錠に関して第１ロック機構および第２ロック機構を備えているけれども、前扉の開閉を行うヒンジ機構に関する説明は存在しない。したがって、この種の遊技機で用いるヒンジは、前扉の重量を支えるために比較的大型であっても、構造的には従来と同様の製品であると推定できる。
【０００６】
前扉の開閉は、コイン補充などの日々のメンテナンスを行うために行い、機器の全面的な補修や交換の際には前扉自体を筐体から取り外す。このため、この種の遊技機で用いるヒンジは、通常、筐体側壁側に設置した垂直ピンと、前扉側に設置し且つピン孔を穿孔した水平プレートで構成する上下２組の差し込みヒンジからなり（図３参照）、垂直ピンを前扉側に設置したり、且つピン孔を穿孔した水平プレートを筐体側壁側に設置することも当然可能である。
【０００７】
既存の差し込みヒンジを取り付けて前扉を開閉可能とした遊技機では、前扉を開いて従業員が日常のメンテナンスを行っている時に、重さが２０ｋｇ近い前扉が自然に閉じてきて従業員の指を挟む事故が頻発している。この前扉は、完全に垂直方向で筐体に取り付けるのではなく、該前扉の上方が５度前後を後方へ傾いているため、開扉しておいてもその重量で自然に閉じてくることが問題である。
【０００８】
本考案者は、自然に閉じやすい重い前扉を有する遊技機に関する前記の問題点を改善するために、既存の差し込みヒンジに加えて回転制御ヒンジを付設することにより、閉鎖方向だけの前扉回転を抑制する遊技機を提供することを目的としている。本考案の他の目的は、一方または両方の既存の差し込みヒンジに代えて回転制御ヒンジを設置している遊技機を提供することである。
【課題を解決するための手段】
【０００９】
本考案に係る遊技機は、前面に開口部を有する筐体と、該筐体の開口部を閉鎖するように傾斜配置する前扉と、該前扉を筐体に着脱可能に取り付けるヒンジ機構を有する。この遊技機において、ヒンジ機構は、抜き差し可能な垂直ピンを有する少なくとも１組の差し込みヒンジと、該垂直ピンと軸心が一致するピボットを有する回転制動ヒンジとからなる。この回転制動ヒンジでは、ピボットが抜き差し可能に通過する貫通孔を設けたバレルを縦向きに固着し、該バレル孔内にワンウェイ輪を静止収納するとともに、該ピボットを垂直保持する制動支持体を縦向きに固着する。
【００１０】
本考案の遊技機において、差し込みヒンジは、筐体側壁側に設置した垂直ピンおよび前扉側に設置し且つピン孔を穿孔した水平プレートで構成し、制動支持体は、縦方向において２組の差し込みヒンジの間に配置し、筐体側壁に縦向きに固着すると好ましい。
【００１１】
ヒンジ機構の制動支持体は、ピボットを密に嵌入するプラスチック制動筒体と、制動筒体を静止収納するスリーブ貫通孔を設けた別のバレルとを有すると好ましい。このピボットを制動筒体内に圧入することで制動回転可能に垂直保持し、別のバレルを筐体側壁にボルト止めする。
【００１２】
ヒンジ機構の制動支持体は、ピボットに密に嵌装するプラスチック制動部材と、制動部材の外周を取り囲む保持金具と、制動部材および保持金具の平行延長部を貫通してブラケットにねじ込みするボルトとを有すると好ましい。このボルトによって保持金具で制動部材を内方へ締め付けてピボットを制動回転可能に垂直保持し、該ブラケットを筐体側壁にボルト止めする。
【００１３】
また、ヒンジ機構の制動支持体は、ピボットと嵌合する少なくとも１枚の皿バネと、該ピボットに嵌入する貫通孔を設けた水平部を有するＬ字金具と、Ｌ字金具の水平部の両側面に隣接配置するプラスチック制動円板と、各制動円板と接触し且つピボットとともに回動または静止するワッシャとで構成してもよい。この制動支持体の全体をナットで締め付けることにより、前扉を旋回すると制動円板の表面とワッシャの表面とが摩擦面となり、Ｌ字金具の垂直部を筐体側壁にボルト止めする。
【考案の効果】
【００１４】
本考案に係る遊技機は、ヒンジ機構に回転制動ヒンジを取り付けることにより、前扉を開く際には抵抗なく回動できるうえに、該前扉を閉じる方向では効果的に制動することにより、開扉しておいてもその重量で自然に閉じてくることがなく、日常のメンテナンスを行う時に従業員が前扉に指を挟む事故を未然に防止できる。本考案の遊技機は、従来と同様に前扉自体を筐体から取り外すことが可能であるから、機器の全面的な補修や交換を行うことも当然可能である。
【００１５】
本考案の遊技機は、その製造時に回転制動ヒンジを２組の差し込みヒンジの間に配置して取り付けても、２組の差し込みヒンジの一方の代わりに設置することも可能であり、回転制動ヒンジの形状や寸法を設置態様などに応じて調整する。本考案の遊技機における回転制動ヒンジは、前扉の開閉のいずれもが自由である既存の遊技機に後付けすることも可能であるから、将来に亘って数多くの使用数が期待できる。
【図面の簡単な説明】
【００１６】
【図１】本考案に係る遊技機の一例を示す概略斜視図である。
【図２】図１の遊技機を開扉した状態を示す概略斜視図である。
【図３】本考案の遊技機で用いるヒンジ機構を概略的に示す要部側面図である。
【図４】本考案で用いる圧入型の回転制動ヒンジを示す斜視図であり、ピボットはバレルに差し込まれている。
【図５】図４の回転制動ヒンジについてそのバレルの一部を縦方向に切断した縦断面図である。
【図６】回転制動ヒンジのバレル内に静止収納するワンウェイ輪を拡大し且つ一部を断面で示す概略側面図である。
【図７】回転制動ヒンジの制動支持体の貫通孔内に静止収納するプラスチック制動筒体を示す斜視図である。
【図８】本考案で用いる締め付け型の回転制動ヒンジを示す斜視図であり、ピボットはバレルから抜かれている。
【図９】図８の回転制動ヒンジを示す側面図である。
【図１０】図８の回転制動ヒンジの制動本体を示す縦断面図である。
【図１１】本考案で用いる制動ディスク型の回転制動ヒンジを示す斜視図であり、ピボットはバレルから抜かれている。
【図１２】図１１の回転制動ヒンジの制動支持体を分解して示す側面図であり、一部を断面で示す。
【図１３】図１１の回転制動ヒンジを図１２のＢ−Ｂ線に沿って切断した断面図である。
【考案を実施するための形態】
【００１７】
本考案を図面によって説明すると、本考案は、一般にパチスロ機１と称する遊技機が対象であり、さらにパチスロ機でない通常のパチンコ台や他のゲーム機にも適用可能である。遊技機の一例であるパチスロ機は、図１および図２に例示するように、前面に開口部３を有する筐体５と、該筐体の開口部を閉鎖するように傾斜配置する前扉７とを備える。前扉７は、１枚で筐体５の開口部３を閉鎖する態様が一般的であり、さらに上下に分割した２枚または３枚以上で閉鎖する構造のものでもよい。
【００１８】
遊技機であるパチスロ機１は、例えば、リール８，１０，１２および回路基板などを収容する筐体５を有し、前扉７を筐体５に対して開閉可能に取り付ける。筐体５の内部には、３本のリール８，１０，１２を横方向に平行に配置し、これらのリールを前扉に設置する構造でもよい。各リール８，１０，１２は、円筒状のフレームの周面において、多数の図柄を回転方向に沿って連続的に配列した帯状のシートを貼り付ける。
【００１９】
前扉７の中央には液晶表示体１４を設け、該液晶表示体は、表示窓１６，１８，２０を含む平坦な表示画面からなり、前扉７の閉鎖時に、正面から見て３本のリール８，１０，１２と重合して前方側に位置するように配置する。表示窓１６，１８，２０は、各リール８，１０，１２のそれぞれに対応するように配列し、その背後に位置するリール８，１０，１２を透視可能な構造である。表示窓１６，１８，２０は、図柄の表示窓としての機能を果たし、背後のリール８，１０，１２の回転および停止の動作が遊技者側から視認可能である。液晶表示体１４は、表示窓１６，１８，２０を含めた表示画面の全体において、映像の表示を行ってゲームを演出する。
【００２０】
表示窓１６，１８，２０は、背後のリール８，１０，１２の回転を停止したとき、各リール８，１０，１２の表面に配列した多数の図柄の中から、その枠内の上段、中段、下段の領域においてそれぞれ１個の図柄を表示する。また、各表示窓１６，１８，２０の上段、中段、下段の領域において、予め定めたいずれかをそれぞれ組合せる擬似的なラインを入賞か否かの判定を行う対象となる入賞判定ラインとして定義する。
【００２１】
一方、前扉７には、遊技者によるゲーム操作の対象となる各部材を設ける。メダル投入口２２は、遊技者によって外部から投下されるメダルを受け入れる。メダル投入口２２に投入されたメダルは、例えば、所定枚数の３枚を上限として１回のゲームに使用されることになり、クレジット機能として、所定枚数を超えたメダル分はパチスロ機１の内部に預けることができる。ベットボタン２４は、パチスロ機１の内部に預けられたメダルから１回のゲームに投入する枚数を決定する。精算ボタン２６は、パチスロ機１の内部に預けられたメダルを外部に引き出す。スタートレバー２７は、全てのリール８，１０，１２の回転を開始する。ストップボタン２８，３０，３２は、各リール８，１０，１２のそれぞれに対応づけ、対応するリール８，１０，１２の回転を停止する。
【００２２】
パチスロ機１のヒンジ機構３４は、図２と図３に示すように、筐体５の側壁位置に設置した垂直ピン３６を有する差し込みヒンジ３８，３８と、垂直ピン３６と軸心Ａが一致するピボット４０を有する回転制動ヒンジ４２とを備える。差し込みヒンジ３８は、通常、図示のように筐体５の側壁上下に分けて２組設置し、前扉７が大きくて重い場合には３組以上設置することも可能である。また、回転制動ヒンジ４２を大型化させて差し込みヒンジの代用が可能ならば、差し込みヒンジ３８および回転制動ヒンジ４２を上下に１組ずつ取り付けるだけでもよい。
【００２３】
個々の差し込みヒンジ３８は、筐体５の側壁側に支持柱体４４を介して設置した上向きの垂直ピン３６と、前扉７側に設置し且つピン孔４６を穿孔した水平プレート４８で構成すればよく、通常、該水平プレートの垂直部４９を前扉にボルト止めする。差し込みヒンジ３８を２個以上設置する場合には、各ヒンジの垂直ピン３６の軸心Ａを一致させることが必要である。また、垂直ピン３６を前扉側に取り付け且つ水平プレート４８を筐体側壁側に取り付けることも可能であり、この際には垂直ピンを下向きに配置することを要する。貫通孔付きの水平プレートは、耐久性を高めるために、図示のような板状でなくて筒状の部材であってもよい。
【００２４】
一方、回転制動ヒンジ４２は、縦方向において２組の差し込みヒンジ３８，３８の間に配置するのが一般的である。回転制動ヒンジ４２は、図３から図５に示すように、ピボット４０を垂直保持する制動支持体５０を有し、該制動支持体を筐体５の側壁側に縦向きに設置する。一方、バレル５２を前扉７側に縦向きに設置し、該バレルにはピボット４０が抜き差し可能に通過する貫通孔５４を設ける（図８、図１１参照）。制動支持体５０を前扉側に取り付け且つバレル５２を筐体側壁側に取り付けることも可能であり、この際にはピボット４０を下向きに配置することを要する。制動支持体５０およびバレル５２は、垂直ピン３６の軸心Ａを一致させるために、必要ならば適当な厚みの補助板５６，５８などを介して筐体５の側壁側または前扉７側に設置しても、筐体５側壁や前扉７の所定個所を変形してもよい。
【００２５】
回転制動ヒンジ４２のバレル５２には、図４と図５から明らかなように、横方向に貫通するボルト孔６２，６２を形成し、且つ所定数のワンウェイ輪６４を軸心方向に並べて収納可能な縦方向の中空部６６を縦方向に設ける。バレル５２の貫通孔５４つまりワンウェイ輪６４の内径は、ピボット４０の直径よりもわずかに大きく、該ピボットが抜き差し可能に通過する。バレル５２の中空部６６には、所望数のワンウェイ輪６４を収納した後に、リング６７を嵌め、該リングを中空部６６内でカシメ止めするかねじ止めすればよい。円環状のリング６７の内径は、ワンウェイ輪６４の外径よりも小さい。
【００２６】
バレル５２内に収納するワンウェイ輪６４は、図６に例示するように、厚幅の短円筒形であり、その内径はピボット４０の直径よりもわずかに大きく、その外径はバレル５２の中空部６６の内径にほぼ等しい。ワンウェイ輪６４の外周壁には、円周方向に等間隔に軸方向の溝６８を設け、該ワンウェイ輪を中空部６６内に収納すると、各溝６８が中空部内周の突条（図示しない）と嵌合することにより、ワンウェイ輪６４を中空部６６内で静止する。ワンウェイ輪６４は、図５においてバレル５２ごとに４個収納するけれども、該バレルを１〜３個または４個以上収納可能な長さに定めてもよい。
【００２７】
ワンウェイ輪６４は、内輪つまりピボット４０が、その周辺に配列した複数の小ローラ７０によって片方向にだけ回転できる装置である。ワンウェイ輪６４は、例えば、ピボット４０の周りに接する８本の小ローラ７０と、各小ローラ７０を収容する比較的深い楔状断面の凹部７４を有する外輪７２とを有し、該外輪の凹部７４には浅溝部および深溝部を形成する。ワンウェイ輪６４では、小ローラ７０の一部が筒状の保持器７６の内周面より僅かに内方に突き出る。ワンウェイ輪６４において、板バネ７８やコイルバネのような弾性部材が、各小ローラ７０を凹部７４の浅溝部側へ付勢する。
【００２８】
前扉７の閉鎖方向つまりバレル５２がＣ方向に回転するか、またはピボット４０が図６のＤ方向に回転すると、各ローラ７０は図６で時計方向に自転しながら浅溝部に対して噛み込む方向に移動し、板バネ７８によってその位置に保たれる。各ローラ７０は、浅溝部の内周面とピボット４０の外周面とで圧接されると自転しなくなって停止する。この際に、外輪７２とピボット４０との間でローラ７０を介してトルクが伝達され、ワンウェイ輪６４はピボット４０と外輪７２との相対回転を規制するロック状態となる。一方、前扉７の開放方向つまりにバレル５２が図６の反時計方向（反Ｃ方向）回転するか、またはピボット４０が図６の時計方向に回転すると、各ローラ７０は図６で反時計方向に自転しながら深溝部の方向に移動する。深溝部の内周面とピボット４０の外周面との隙間は、各ローラ７０の外径よりも大きく、各ローラ７０は自転を続ける。この際に、外輪７２とピボット４０との間でトルクは伝達されず、ワンウェイ輪６４はピボット４０と外輪７２との相対回転を許容するフリーの状態となる。
【００２９】
回転制動ヒンジ４２において、制動支持体５０は、実施例で説明するように、図４と図５に示す圧入型、図８に示す締め付け型または図１１に示す制動ディスク型のいずれでもよい。制動支持体５０は、ピボット４０を制動回転可能に垂直保持し、該ピボット４０は、差し込みヒンジ３８，３８の垂直ピン３６の軸心Ａを一致させることが必要である。パチスロ機１において、回転制動ヒンジ４２のバレル５２を前扉７側におよび制動支持体５０を筐体５の側壁側に縦向きにボルト止めする。
【００３０】
パチスロ機１に差し込みヒンジ３８および回転制動ヒンジ４２を設置すると、該回転制動ヒンジでは、バレル５２（図４）内でピボット４０が前扉７の開放方向に自由回転することにより、パチスロ機１は、前扉７を開く際には従来と同様に抵抗なくフリー回動できる。一方、前扉７を閉じる方向では、バレル５２内でピボット４０がロックされ、該ピボットの回転を制動支持体５０で制動することにより、開扉しておいてもその重量で自然に閉じてくることがなく、日常のメンテナンスを行う時に従業員が前扉に指を挟む事故を未然に防止できる。閉扉の際には、ピボット４０が制動支持体５０内で制動回転できるように、前扉７の閉じる方向に力を加えることが必要である。
【００３１】
前扉７を筐体５から取り外すために、差し込みヒンジ３８，３８において水平プレート４８を垂直ピン３６から引き抜くと、同時に回転制動ヒンジ４２においてバレル５２をピボット４０から引き抜くことになり、パチスロ機１で従来と同様に前扉７の取り外しができ、該パチスロ機の全面的な補修や交換を行うことが可能である。一方、前扉７を筐体５から取り付けるために、差し込みヒンジ３８，３８において水平プレート４８を垂直ピン３６と嵌合すると、同時に回転制動ヒンジ４２においてバレル５２をピボット４０と嵌合することになり、前扉７の取り付けを容易に行うことができる。
【実施例１】
【００３２】
次に、本考案を実施例に基づいて説明するが、本考案は実施例に限定されるものではない。本考案に係る遊技機の一例であるパチスロ機１は、図２と図３に示すヒンジ機構３４を有し、該ヒンジ機構は、筐体５の側壁位置に設置した垂直ピン３６を有する差し込みヒンジ３８，３８と、垂直ピン３６と軸心Ａが一致するピボット４０を有する回転制動ヒンジ４２とを備える。回転制動ヒンジ４２は、図４と図５に示すように、ワンウェイ輪６４を軸心方向に並べて収納したバレル５２と、ピボット４０を垂直保持する制動支持体５０とを有し、バレル５２を前扉７側におよび制動支持体５０を筐体５の側壁側に縦向きにボルト止めする。
【００３３】
図４と図５に示す圧入型の回転制動ヒンジ４２において、下方の制動支持体５０は、上方のバレル５２とほぼ同じ肉厚の外観を有し、横方向に貫通するボルト孔８２，８２を形成する。制動支持体５０には、ピボット４０を支持するプラスチック制動筒体８８を収納する垂直方向の貫通孔８６を設ける。貫通孔８６は、円形内周面において軸方向にキー溝（図示しない）を形成した円筒形状であればよい。
【００３４】
図７に示す制動筒体８８は、フランジ部９０および円筒部９２とからなり、該円筒部の外周壁に軸方向のキー突条９３を形成する。円筒部９２の外径は、貫通孔８６の直径とほぼ等しく、該円筒部の内径は非圧入状態でピボット４０の直径よりも僅かに小さい。制動筒体８８は、例えば、耐磨耗性のポリアセタール製であるので長期間使用することが可能である。制動筒体８８を上方から貫通孔８６内に収納すると、軸方向に設けたキー突条９３が貫通孔８６のキー溝と係合して静止し、且つフランジ部９０の下側隅入れ部９４が貫通孔８６の面取り周縁（図示しない）と密接することにより、制動筒８８はフランジ部９０を除いて貫通孔８６内に完全に嵌り込んで静止する。
【００３５】
制動筒体８８の円筒部９２は、垂直貫通孔８６の深さと同じまたはそれ以下である。制動筒体８８を貫通孔８６内に収納すると、フランジ部９０がバレル５２と制動支持体５０との間に介在し、バレル５２と制動支持体５０との相互回転時の摩擦抵抗を軽減する。ピボット４０を制動筒体８８に圧入通過させると、該ピボットを制動回転可能に支持できる。ピボット４０には、円板状のワッシャ９６を嵌め、該ワッシャの中心孔をピボット４０の異形端と嵌合させてカシメ止めする。ワッシャ９６の直径は、貫通孔８６の外径とほぼ等しく、該ワッシャの代わりに、Ｅリングなどのスナップリングと溝形成、リングのねじ止めなどでピボット４０の抜け出しを防止する。
【００３６】
パチスロ機１において、回転制動ヒンジ４２のバレル５２を前扉７側におよび制動支持体５０を筐体５の側壁側に縦向きにボルト止めすると、前扉７を開く方向にはフリー回動するけれども、該前扉を閉じる方向では制動回動する。この際に、フリー回動とは、制動筒体８８によってピボット４０の回転が制動されることなく、従来のように自由に回動できることを意味する。
【実施例２】
【００３７】
図８から図１０には、締め付け型の回転制動ヒンジ１００を示し、上方のバレル５２は実施例１と同様である。下方の制動支持体１０２は、前方部にボルト孔１０４，１０４を形成したプレート本体１０６を備え、該プレート本体の後方は左右突出部を直角に折り曲げた１対の支持部１０８，１０８を形成する。支持部１０８，１０８には、ピボット４０を挿入できる貫通孔を設け、該支持部の外側にＥリング１１０をそれぞれ取り付けてピボット４０の脱落を防止する。
【００３８】
支持部１０８，１０８間には、図１０に示すように、ピボット４０に嵌装するプラスチック制動部材１１２と、該制動部材の外周面と対応する内周面を有する保持金具１１４とを配置する。ボルト１１６は、制動部材１１２および保持金具１１４の延長部１１７，１１８を通過し、プレート本体１０６のネジ孔１０７にねじ込まれる。制動部材１１２および保持金具１１４の横幅は、支持部１０８，１０８の内寸間隔にほぼ等しい。
【００３９】
制動部材１１２は、その内周面が円形断面である湾曲部１２０と、該湾曲部の両端から接線方向へ平行に延設する延長部１１７，１１７を備えることにより、ピボット４０の周面と接触する湾曲部１２０の内周面が摩擦面となる。制動部材１１２の延長部１１７，１１７は、通常の状態で所定の縦間隙を有し、この間隙の存在によって湾曲部１２０の内方変形によるピボット４０の締め付けが可能となる。この縦間隙は、通常、挟着弾性片１２３の高さよりも狭くなるように定める。
【００４０】
保持金具１１４は、制動部材１１２の外周面と密接する湾曲部１２４および延長部１１８，１１８を有する。ボルト１１６が上方延長部１１８に下方へ作用することにより、保持金具１１４の湾曲部１２４を介して制動部材１１２を内方へ締め付ける。保持金具１１４の湾曲部１２４は、制動部材１１２の外周面のほぼ全体を取り囲む。延長部１１８，１１８は、図示のようなほぼ同じ長さであっても長さが異なっていてもよく、プレート本体１０６を横長に延長し、それを湾曲させて保持金具として利用することも可能である。
【００４１】
ボルト１１６を回すと、保持金具１１４および制動部材１１２を内方へ締め付け、該制動部材にピボット１０の制動力を付与する。ボルト１１６は、そのねじ込み量によって制動部材１１２に付与する制動力を容易且つ微妙に調整できる。保持金具が横長であれば、ボルト１１６を複数本立設することも可能である。弾性片１２３は、一般にバネ鋼製であり、制動部材１１２の延長部１１７，１１７間に介在させる。弾性片１２３は、ボルト１１６を緩めた際に、その弾力によって制動部材１１２の延長部１１７，１１７間を大きく開くことにより、ピボット４０が自由回動することを可能とする。
【００４２】
パチスロ機１において、回転制動ヒンジ１００のバレル５２を前扉７側におよび制動支持体１０２のプレート本体１０６を筐体５の側壁側に縦向きにボルト止めすると、前扉７を開く方向にはフリー回動するけれども、該前扉を閉じる方向では制動回動する。
【実施例３】
【００４３】
図１１から図１３には、制動ディスク型の回転制動ヒンジ１２５を示し、上方のバレル５２は実施例１と同様である。下方の制動支持体１２６は、垂直部にボルト孔１２８，１２８を形成したＬ形金具１３０を備える。Ｌ形金具１３０の水平部１３２（図１２では垂直方向）には、ピボット４０を挿入できる貫通孔１３４を設ける。
【００４４】
制動支持体１２６では、ピボット４０の下方部を適宜加工することを要する。ピボット４０には、その下端から所定の長さにわたって軸方向に沿って周面の両側１３６，１３６を平行に切削した非円形軸部１３８が形成され（図１３参照）、さらに非円形軸部１３８において雄ねじ山１４０を刻設する。
【００４５】
ピボット４０には、その下方から上方の金属ディスク１４２、上方の制動ディスク１４４、Ｌ形金具１３０の水平部１３２、下方の制動ディスク１４６、下方の金属ディスク１４８を順次嵌装する。上方の金属ディスク１４２は、ピボット４０の非円形軸部１３８の上端部まで嵌装されて停止する。ピボット４０には、さらに皿バネ１５０，１５０を介してナット１５２をねじ込む。制動ディスク１４４，１４６は、炭素含有のポリアセタール樹脂のような耐磨耗性エンジニアリングプラスチックの射出成形品であると好ましい。
【００４６】
回転制動ヒンジ１２５において、金属ディスク１４２，１４８は通常同一形状であり、両側面が平坦なほぼドーナツ状である。金属ディスク１４２，１４８には、ピボット４０の非円形軸部１３８の断面に対応する非円形の貫通孔を設け、該金属ディスクをピボット４０に嵌めると、該ピボットとともに回動・停止する。金属ディスク１４２，１４８は、制動部材ディスクよりも多少大きい外径を有する。
【００４７】
また、制動部材ディスク１４４，１４６も通常同一形状であり、両側面が平坦なドーナツ状である。制動ディスク１４４，１４６には、ピボット４０が挿通可能な円形の貫通孔を設け、これは貫通孔１３４と同径であるので、該制動ディスクに対してピボット４０は回動自在である。制動ディスク１４４，１４６がＬ形金具１３０とともに確実に回動・停止できるように、該Ｌ形金具のの両側面に１対の回り止め用の突起１５４，１５４（図１３）をそれぞれ形成し、一方、両制動ディスクの対応側面に１対の凹み（図示しない）を設ける。回転制動ヒンジ１２５の全体をナット１５２で締め付けると、突起１５４，１５４は、制動ディスクの凹みの中にそれぞれ嵌り込む。
【００４８】
制動支持体１２６を組み立ててナット１５２で締め付けると、皿バネ１５０，１５０によって制動ディスク１４４，１４６は弾性的に金属ディスク１４２，１４８で押圧される。この際に、制動ディスク１４４，１４６の突起１５４，１５４が水平部１３２の凹みの中に嵌り込む。前扉７を閉じると、ピボット４０はバレル５２とともに回動し、さらに金属ディスク１４２，１４８も回動する。一方、両制動ディスク１４４，１４６は、Ｌ形金具１３０とともに静止している。
【００４９】
制動支持体１２６は、プラスチック製の制動ディスク１４４，１４６を金属ディスク１４２，１４８と面接触させて機構全体を締め付けることにより、回動する金属ディスク１４２，１４８の側面と、静止する制動ディスク１４４，１４６の側面とが摩擦面となり、ピボット４０を任意の回動位置で静止できる。回転制動ヒンジ１２５は、長期間安定して使用することができ、数万回の旋回試験に容易に耐えうる。
【００５０】
パチスロ機１において、回転制動ヒンジ１２５のバレル５２を前扉７側におよび制動支持体１２６のＬ形金具１３０を筐体５の側壁側に縦向きにボルト止めすると、前扉７を開く方向にはフリー回動するけれども、該前扉を閉じる方向では制動回動する。
【符号の説明】
【００５１】
１    パチスロ機
３    開口部
５    筐体
７    前扉
３４    ヒンジ機構
３６    垂直ピン
３８，３８    差し込みヒンジ
４０    ピボット
４２    回転制動ヒンジ
４６    水平プレート
５０    制動支持体  
５２    バレル
５４    貫通孔
８８    プラスチック制動筒体
【図１】
0003184416.tif 000003
【図２】
0003184416.tif 000004
【図３】
0003184416.tif 000005
【図４】
0003184416.tif 000006
【図５】
0003184416.tif 000007
【図６】
0003184416.tif 000008
【図７】
0003184416.tif 000009
【図８】
0003184416.tif 000010
【図９】
0003184416.tif 000011
【図１０】
0003184416.tif 000012
【図１１】
0003184416.tif 000013
【図１２】
0003184416.tif 000014
【図１３】
0003184416.tif 000015